(57)【要約】【課題】狭額縁化が可能な表示装置を提供する。【解決手段】表示パネル１と、表示パネル１の背面側に配置されるバックライト装置３と、表示パネル１とバックライト装置３とを接着する接着剤４と、バックライト装置３の背面側を覆う収容体３７と、を備える。収容体３７は、底部３７１と、底部３７１の周縁から表示パネル１側に向かって起立した壁部３７２と、を含む。接着剤４は、表示パネル１と壁部３７２との間に配置されている。【選択図】図６
2018072515.tif 000002
【特許請求の範囲】
【請求項１】
表示パネルと、
前記表示パネルの背面側に配置されるバックライト装置と、
前記表示パネルと前記バックライト装置とを接着する接着剤と、
前記バックライト装置の背面側を覆う収容体と、を備え、
前記収容体は、
底部と、
前記底部の周縁から前記表示パネル側に向かって起立した壁部と、を含み、
前記接着剤は、前記表示パネルと前記壁部との間に配置されている、表示装置。
【請求項２】
前記表示パネルは、
基板と、
前記基板の背面側に配置されて前記バックライト装置と向かい合う偏光板と、を有し、
前記基板の背面は前記偏光板から露出している周縁領域を含み、
前記接着剤は、前記周縁領域と前記壁部との間に配置されている、請求項１に記載の表示装置。
【請求項３】
前記表示パネルは、
基板と、
前記基板の背面側に配置されて前記バックライト装置と向かい合う偏光板と、を有し、
前記接着剤は、前記偏光板と前記壁部との間に配置されている、請求項１に記載の表示装置。
【請求項４】
前記接着剤は遮光性であり、
前記偏光板の側面は前記接着剤で覆われている、請求項２又は請求項３に記載の表示装置。
【請求項５】
前記表示パネルは、
画像を表示する表示領域と、
前記表示領域の外周側に位置する額縁領域と、を有し、
前記接着剤は平面視で前記表示領域を囲んでいる、請求項１乃至請求項４のいずれか１項に記載の表示装置。
【請求項６】
前記バックライト装置は、光源素子を有し、
前記表示パネルは、
画像を表示する表示領域と、
前記表示領域の外周側に位置する額縁領域と、を有し、
前記光源素子は、平面視で前記表示領域の外周の一辺に沿って配置されており、
前記接着剤は、平面視で前記表示領域の外周の辺のうち、前記一辺には配置されていない、請求項１乃至請求項４のいずれか１項に記載の表示装置。
【請求項７】
前記バックライト装置は、光源素子を有し、
前記表示パネルは、
画像を表示する表示領域と、
前記表示領域の外周側に位置する額縁領域と、を有し、
前記光源素子は、平面視で前記表示領域の外周の一辺に沿って配置されており、
前記接着剤は、平面視で前記表示領域の外周のすべての辺に沿って配置されている、請求項１乃至請求項４のいずれか１項に記載の表示装置。
【請求項８】
前記バックライト装置は、
前記壁部と一体化した樹脂部をさらに有し、
前記接着剤は前記樹脂部に接着している、請求項１乃至請求項７のいずれか１項に記載の表示装置。
【請求項９】
前記バックライト装置は、
前記収容体に収容された導光板と、
前記収容体に収容され、前記導光板と前記表示パネルとの間に配置された光学シートと、
前記表示パネルと平面視で重なる位置に配置された両面接着テープと、をさらに有し、
前記両面接着テープは、第１接着面と、前記第１接着面の反対側に位置する第２接着面とを有し、
前記第１接着面は前記光学シート及び前記樹脂部に接着し、
前記第２接着面は前記表示パネルに接着している、請求項８に記載の表示装置。
【請求項１０】
前記両面接着テープは遮光性である、請求項９に記載の表示装置。
【発明の詳細な説明】
【技術分野】
【０００１】
本開示は、表示装置に関する。
【背景技術】
【０００２】
表示装置には、表示パネルの背面側に配置されたバックライト装置からの光を利用して、表示パネルに画像を表示する透過型の液晶表示装置がある（例えば、特許文献１参照）。
【先行技術文献】
【特許文献】
【０００３】
【特許文献１】米国特許出願公開第２０１５／０２４１７３１号明細書
【発明の概要】
【発明が解決しようとする課題】
【０００４】
表示装置では、表示領域の外周に位置する額縁領域を狭くする、いわゆる狭額縁化が望まれている。
【０００５】
本発明は、上記に鑑みてなされたものであり、狭額縁化が可能な表示装置を提供することを目的とする。
【課題を解決するための手段】
【０００６】
本発明の一態様に係る表示装置は、表示パネルと、前記表示パネルの背面側に配置されるバックライト装置と、前記表示パネルと前記バックライト装置とを接着する接着剤と、前記バックライト装置の背面側を覆う収容体と、を備え、前記収容体は、底部と、前記底部の周縁から前記表示パネル側に向かって起立した壁部と、を含み、前記接着剤は、前記表示パネルと前記壁部との間に配置されている。
【図面の簡単な説明】
【０００７】
【図１】図１は、実施形態１に係る表示装置の構成例を示す平面図である。
【図２】図２は、実施形態１に係る表示装置の構成例を示す分解斜視図である。
【図３】図３は、実施形態１に係る表示パネルの構成例を示す分解斜視図である。
【図４】図４は、実施形態１に係るバックライト装置の構成例を示す分解斜視図である。
【図５】図５は、実施形態１に係る表示装置の部分断面図である。
【図６】図６は、実施形態１に係る表示装置の部分断面図である。
【図７】図７は、実施形態１に係る表示装置の部分断面図である。
【図８】図８は、実施形態１に係る表示パネルの背面を示す斜視図と、その一部を拡大して示す図である。
【図９】図９は、実施形態１において、接着剤が塗布される周縁領域を示す平面図である。
【図１０】図１０は、図９をＸ２１−Ｘ２２線で切断した断面を示す図である。
【図１１】図１１は、実施形態１に係る表示装置の製造方法を工程順に示す模式図である。
【図１２】図１２は、接着剤が塗布された後の表示パネルの背面を示す斜視図と、その一部を拡大して示す図である。
【図１３】図１３は、実施形態１において、接着剤が塗布された後の周縁領域を示す平面図である。
【図１４】図１４は、図１３をＸ３１−Ｘ３２線で切断した断面を示す図である。
【図１５】図１５は、実施形態１の変形例１に係る表示装置を示す断面図である。
【図１６】図１６は、実施形態１の変形例１に係る表示装置の背面側を示す斜視図である。
【図１７】図１７は、実施形態１の変形例１に係るバックライト装置において、壁部と一体化した樹脂部と、樹脂部と重なる接着剤とを拡大して示す模式図である。
【図１８】図１８は、実施形態１の変形例２に係る表示装置を示す断面図である。
【図１９】図１９は、実施形態１の変形例３に係る表示装置の構成例を示す平面図である。
【図２０】図２０は、実施形態１の変形例３に係る表示装置の構成例を示す分解斜視図である。
【図２１】図２１は、実施形態１の変形例３に係る表示装置の部分断面図である。
【図２２】図２２は、実施形態１の変形例３に係る表示パネルの背面と、その一部を拡大して示す斜視図である。
【図２３】図２３は、実施形態１の変形例３に係る表示装置の前面側を示す斜視図である。
【図２４】図２４は、実施形態１の変形例３に係るバックライト装置において、壁部と一体化した樹脂部と、樹脂部と重なる接着剤とを拡大して示す模式図である。
【図２５】図２５は、実施形態２に係る表示装置の構成例を示す断面図である。
【図２６】図２６は、実施形態２の変形例に係る表示装置の構成例を示す断面図である。
【図２７】図２７は、実施形態３に係る表示装置の構成例を示す断面図である。
【図２８】図２８は、実施形態４に係る表示装置の構成例を示す断面図である。
【発明を実施するための形態】
【０００８】
本発明を実施するための形態（実施形態）につき、図面を参照しつつ詳細に説明する。なお、以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。また、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
図１は、実施形態１に係る表示装置の構成例を示す平面図である。図２は、実施形態１に係る表示装置の構成例を示す分解斜視図である。図３は、実施形態１に係る表示パネルの構成例を示す分解斜視図である。図４は、実施形態１に係るバックライト装置の構成例を示す分解斜視図である。なお、本明細書では、表示装置の各構成部品に関して、表示パネルが画像を表示する側（例えば、図２の上方の側）の面を前面又は上面といい、画像を表示する側の反対側の面を背面又は下面という。また、本明細書では、図１における左右方向をＸ軸方向で示し、図１における上下方向をＹ軸方向で示し、図１のＸ−Ｙ平面に垂直な方向をＺ軸方向で示す。
【００１０】
図１及び図２に示すように、表示装置１００は、画像を表示する表示パネル１と、表示パネル１の背面１ｂ側に配置されるバックライト装置３と、表示パネル１の前面１ａ側に配置されるカバーパネル７と、表示パネル１とバックライト装置３との間に配置される遮光性の接着剤４と、表示パネル１とカバーパネル７との間に配置される透光性の接着層５と、バックライト装置３の背面側を覆う収容体３７（例えば、図５及び図６参照）と、を備える。表示装置１００は、例えば透過型の液晶表示装置である。
【００１１】
表示パネル１は、平面視による形状（以下、平面形状）が矩形であり、画像を表示する表示領域１０ａと、表示領域１０ａの外周側に位置する額縁領域１０ｂとを有する。額縁領域１０ｂは、例えば、表示領域１０ａを囲むように配置されている。表示パネル１は、バックライト装置３から出射した光を表示パネル１の背面１ｂ側から前面１ａ側へ選択的に透過することで表示領域１０ａに画像を表示する。額縁領域１０ｂでは、バックライト装置３から出射した光は遮光される。額縁領域１０ｂは、平面視で表示装置１００の遮光部７２と重なっている。
【００１２】
図５から図７は、実施形態１に係る表示装置の部分断面図である。図５は、図１に示した表示装置１００の上側縁部１００ｕｅをＹ１１−Ｙ１２線で切断した断面を示している。図６は、図１に示した表示装置１００の右側縁部１００ｒｅをＸ１１−Ｘ１２線で切断した断面を示している。図７は、図１に示した表示装置１００の下側縁部１００ｂｅをＹ２１−Ｙ２２線で切断した断面を示している。
【００１３】
図３と、図５から図７に示すように、表示パネル１は、第１基板１１と、第１偏光板１２と、第２基板１３と、第２偏光板１４と、駆動制御ＦＰＣ（Ｆｌｅｘｉｂｌｅ  Ｐｒｉｎｔｅｄ  Ｃｉｒｃｕｉｔｓ：フレキシブルプリント基板）１５と、液晶層１６と、ＩＣチップ１７と、異方性導電膜（ＡＣＦ）１８、１９とを備える。
【００１４】
第１基板１１と第２基板１３とは、液晶層１６を挟持する一対の基板である。例えば、第１基板１１は、平面形状が矩形の平板であり、薄膜トランジスタなどが形成されている。第２基板１３は、平面形状が矩形の平板であり、画素に対応して赤色（Ｒ），緑色（Ｇ），青色（Ｂ）のカラーフィルタなどが形成されている。第１偏光板１２は、第１基板１１の背面に貼付されており、表示パネル１に入射する光を偏光する。第２偏光板１４は、第２基板１３の前面側に貼付されており、表示パネル１から出射する光を偏光する。
【００１５】
液晶層１６は、図示しない共通電極と画素電極との間で電圧が印加されることにより、液晶層１６に入射する光を副画素ごとに透過又は遮断する。また、画素電極の電圧レベルが変えられることにより、液晶層１６における光透過レベルが副画素ごとに調整される。なお、表示パネル１の表示モードが横電界モードの場合、共通電極及び画素電極は、例えば第１基板１１に形成されている。また、表示パネル１の表示モードが縦電界モードの場合、画素電極は第１基板１１に形成されており、共通電極は第２基板１３に形成されている。
【００１６】
図７に示すように、表示装置１００の下側縁部では、第１基板１１の前面は第２基板１３から露出している。そして、第２基板１３から露出している第１基板１１の前面には、駆動制御ＦＰＣ１５とＩＣチップ１７とが取り付けられている。ＩＣチップ１７は、例えば表示パネル１を駆動するドライバＩＣが搭載されている。ＩＣチップ１７は、例えばＡＣＦ１８を介して第１基板１１に取り付けられている。また、駆動制御ＦＰＣ１５にも、ＩＣチップ１５１と、電子部品１５２等が搭載されている。駆動制御ＦＰＣ１５は、例えばＡＣＦ１９を介して第１基板１１に取り付けられており、第１基板１１の内側から外側へ延出している。駆動制御ＦＰＣ１５は、表示パネル１を駆動するのに必要な信号を第１基板１１やＩＣチップ１７に供給する。駆動制御ＦＰＣ１５から供給される信号によって、表示パネル１は、バックライト装置３からの光を表示領域１０ａに選択的に透過させて、画像を表示する。
【００１７】
バックライト装置３は、表示パネル１の背面１ｂ側に配置されており、表示パネル１に向けて光を出射する。図４から図７に示すように、バックライト装置３は、光源ユニット３２と、光源制御ＦＰＣ３３と、導光板３１と、拡散シート３４と、プリズムシート３５と、反射シート３６と、両面接着テープ３８と、樹脂部３９と、接着層４１とを有する。
【００１８】
光源ユニット３２は、光源素子として例えば発光ダイオード（ＬＥＤ；Ｌｉｇｈｔ  Ｅｍｉｔｔｉｎｇ  Ｄｉｏｄｅ）を有する。光源ユニット３２は、ＬＥＤが発光することによって、導光板３１の入射面に向けて光を出射する。光源ユニット３２は、コネクタ等を介して光源制御ＦＰＣ３３に接続されている。光源制御ＦＰＣ３３は、光源ユニット３２に信号を供給して、導光板３１に向けて光を出射させると共に、出射する光の強度等を調整する。光源制御ＦＰＣ３３の下面は、例えば接着層４１を介して樹脂部３９と導光板３１とに接着されている。光源制御ＦＰＣ３３は、収容体３７の内側から外側まで延出している。
【００１９】
導光板３１の平面形状は矩形である。導光板３１における光の入射面は、例えば、表示装置１００の下側縁部１００ｂｅ（図１参照）に位置する導光板３１の側面である。導光板３１における光の出射面は、導光板３１の前面である。導光板３１は、入射面から入射してきた光を、導光板３１の内部で拡散させ、拡散させた光を出射面から出射する。導光板３１の出射面から出射された光は、拡散シート３４に入射する。
【００２０】
拡散シート３４は、導光板３１の出射面側に配置された透過性の光学部材であり、導光板３１の出射面から出射された光の光学特性を調整する。プリズムシート３５は、導光板３１の出射面側に配置された透過性の光学部材であり、導光板３１の出射面から出射された光の光学特性を調整する。例えば、導光板３１上に拡散シート３４が配置され、拡散シート３４上にプリズムシート３５が配置されている。なお、拡散シート３４およびプリズムシート３５は、導光板３１の出射面から出射した光の光学特性を調整する光学シートの一例である。
【００２１】
反射シート３６は、導光板３１の背面側に配置されている。反射シート３６は、導光板３１の背面側から漏れ出た光を反射して、導光板３１に入射させる。反射シート３６は、例えば、反射機能のほかに、光を拡散させる機能、光を散乱させる機能などを有している。反射シート３６が導光板３１の背面側に配置されていることにより、バックライト装置３は、光源ユニット３２から導光板３１に入射した光を効率的に利用することができ、バックライト装置３が出射する光の輝度を向上させることができる。反射シート３６は、たとえば、発泡ＰＥＴ（ポリエチレンテレフタレート）である。また、反射シート３６は、銀蒸着フィルム、多層膜反射フィルム、白色ＰＥＴなどでもよい。
【００２２】
収容体３７は、導光板３１と、光源ユニット３２と、光源制御ＦＰＣ３３と、拡散シート３４と、プリズムシート３５と、反射シート３６とを収容する。収容体３７は、例えば、板状の金属（すなわち、板金）で形成されている。両面接着テープ３８は、表示装置１００の上側縁部１００ｕｅ（図１参照）と下側縁部１００ｂｅ（図１参照）とに配置されている。表示装置１００の上側縁部１００ｕｅでは、両面接着テープ３８は、プリズムシート３５を樹脂部３９に固定している。また、図示しないが、表示装置１００の下側縁部１００ｂｅでも、両面接着テープ３８はプリズムシート３５を樹脂部３９に固定している。また、表示装置１００の下側縁部１００ｂｅでは、両面接着テープ３８は、光源制御ＦＰＣ３３の前面を覆っている。なお、両面接着テープ３８及び樹脂部３９については、後で具体的に説明する。
【００２３】
図２に示すように、カバーパネル７は、表示パネル１の前面１ａを覆って保護する。カバーパネル７の平面形状は、例えば、四隅に丸みを有する矩形である。また、平面視で、カバーパネル７は表示パネル１よりも大きく形成されており、カバーパネル７の側面は表示パネル１の側面よりも表示装置１００の外周側に位置する。カバーパネル７は、ガラス又は樹脂製の板で形成されている。カバーパネル７は、表示パネル１の表示領域１０ａと向かい合う透光部７１と、透光部７１を平面視で囲む遮光部７２とを有する。遮光部７２は、例えば、ガラス又は樹脂製の板の背面に遮光部材７３が配置された領域である。透光部７１は表示装置１００の表示領域であり、遮光部７２は表示装置１００の額縁領域である。接着層５は、カバーパネル７を、表示パネル１の前面１ａに接着する。接着層５は、透光性が高く、かつ接着性（粘着性）を有する部材であり、例えば、紫外線硬化樹脂である。接着層５は、平面視で、第２偏光板１４と同一の形状で、同一の大きさに形成されている。
【００２４】
図４から図７に示すように、収容体３７は、底部３７１と、底部３７１の周縁から表示パネル１側に向かって起立した壁部３７２とを備える。壁部３７２は、底部３７１を囲むように設けられている。壁部３７２の厚さＴは、例えば０．１ｍｍである。収容体３７の壁部３７２の上面は、プリズムシート３５の前面よりも高い位置にある。
【００２５】
樹脂部３９は、表示装置１００の上側縁部１００ｕｅ及び下側縁部１００ｂｅにそれぞれ設けられており、壁部３７２よりも収容体３７の内側に配置されている。樹脂部３９は、例えばインサート成形法によって収容体３７と一体となるように成形されおり、インサートモールドとも呼ばれる。インサート成形法とは、金属製部品を金型内に挿入し、金属製部品の周りに樹脂を注入して、金属製部品と樹脂とを一体化させる方法である。樹脂部３９の上面は、プリズムシート３５の上面と同一の高さ、又は、ほぼ同一の高さに位置する。
【００２６】
両面接着テープ３８は、第１接着面３８ａと、第１接着面３８ａの反対側に位置する第２接着面３８ｂとを有する。両面接着テープ３８は、表示装置１００の上側縁部１００ｕｅと下側縁部１００ｂｅのそれぞれ配置されている。表示装置１００の上側縁部１００ｕｅと下側縁部１００ｂｅのそれぞれにおいて、両面接着テープ３８は表示パネル１とバックライト装置３とに挟まれている。例えば、両面接着テープ３８の第１接着面３８ａはプリズムシート３５及び樹脂部３９にそれぞれ接着している。両面接着テープ３８の第２接着面３８ｂは、表示パネル１に接着している。これにより、両面接着テープ３８は、表示パネル１とバックライト装置３とを接着している。
【００２７】
また、表示装置１００の上側縁部１００ｕｅにおいて、両面接着テープ３８の第１接着面３８ａはプリズムシート３５の上面から樹脂部３９の上面にかけて連続して貼付されている。これにより、プリズムシート３５は両面接着テープ３８及び樹脂部３９を介して収容体３７に固定されている。また、両面接着テープ３８は、遮光性を有する。これにより、表示装置１００の上側縁部１００ｕｅと下側縁部１００ｂｅにおいて、バックライト装置３から額縁領域１０ｂに向かう光を遮光することができる。
【００２８】
表示パネル１の側面は、積層された複数の部材の側面で構成されている。例えば、表示パネル１の側面は、第１基板１１の側面と、第１偏光板１２の側面と、第２基板１３の側面と、第２偏光板１４の側面とで構成されている。また、実施形態１では、第１偏光板１２の側面は、第１基板１１の側面よりも表示パネル１の内側に位置する。
【００２９】
図８は、実施形態１に係る表示パネルの背面と、その一部を拡大して示す斜視図である。図９は、実施形態１において、接着剤が塗布される周縁領域を示す平面図である。図１０は、図９をＸ２１−Ｘ２２線で切断した断面を示す図である。なお、図１０では、表示パネル１の前面が下側に向けられ、表示パネル１の背面が上側に向けられている。
【００３０】
図８から図１０に示すように、第１基板１１の背面は周縁領域１１１を有する。周縁領域１１１は第１偏光板１２から露出しており、第１偏光板１２と周縁領域１１１との間には、第１偏光板１２の厚みに相当する段差が存在する。表示装置１００の上側縁部１００ｕｅ、右側縁部１００ｒｅ及び左側縁部１００ｌｅにおいて、Ｙ軸方向に平行な周縁領域１１１の幅をＷ１とし、Ｘ軸方向に平行な周縁領域１１１の幅をＷ２としたとき、例えば、Ｗ１＝Ｗ２＝０．２ｍｍ（Ｔｙｐ．）とした場合、Ｗ１は０．１３ｍｍ以上０．２７ｍｍ以下であり、Ｗ２は０．１３ｍｍ以上０．２７ｍｍ以下である。例えば、Ｗ１＝Ｗ２＝０．２ｍｍである。図５に示したように、表示装置１００の上側縁部１００ｕｅでは、収容体３７の壁部３７２は、第１偏光板１２の側面よりも表示装置１００の外周側に位置する。そして、樹脂部３９の上面は、第１基板１１の周縁領域１１１と向かい合っている。接着剤４は、第１基板１１の周縁領域１１１と樹脂部３９の上面との間に配置されており、第１基板１１と、両面接着テープ３８と、樹脂部３９とにそれぞれ接着している。これにより、接着剤４は、第１基板１１と、両面接着テープ３８と、樹脂部３９とを互いに接着している。
【００３１】
また、両面接着テープ３８は、例えば、樹脂部３９の外側面３９ａよりも収容体３７の内側に位置する。両面接着テープ３８下から樹脂部３９の一部が露出しており、その露出している部分に接着剤４が接している。これにより、接着剤４と両面接着テープ３８との接着強度が小さい場合でも、接着剤４は樹脂部３９と接しているので、接着剤４は、表示パネル１とバックライト装置３とを接着することができる。また、接着剤４は、遮光性であり、第１偏光板１２の側面１２ａを覆っている。これにより、接着剤４は、第１偏光板１２の側面１２ａから光が漏れることを防ぐことができる。
【００３２】
図６に示したように、表示装置１００の右側縁部１００ｒｅでは、収容体３７の壁部３７２は、第１偏光板１２の側面よりも表示装置１００の外周側に位置する。そして、壁部３７２の上面は、第１基板１１の周縁領域と向かい合っている。接着剤４は、第１基板１１の周縁領域１１１と壁部３７２の上面との間に配置されており、第１基板１１と壁部３７２とにそれぞれ接着している。これにより、接着剤４は、第１基板１１と収容体３７とを互いに固定している。
【００３３】
また、表示装置１００の上側縁部１００ｕｅと同様に、右側縁部１００ｒｅにいても、接着剤４は、第１偏光板１２の側面１２ａを覆っている。これにより、接着剤４は、第１偏光板１２の側面１２ａから光が漏れることを防ぐことができる。図示しないが、表示装置１００の左側縁部１００ｌｅにおいても、右側縁部１００ｒｅと同様に、接着剤４は、第１基板１１の周縁領域１１１と壁部３７２の上面との間に配置されており、第１偏光板１２の側面１２ａを覆っている。接着剤４は、平面視で表示領域１０ａの外周の辺のうち、光源ユニット３２が設けられない側の辺に配置されており、光源ユニット３２が設けられる側の辺には配置されていない。
【００３４】
なお、接着剤４は、例えば、ポリウレタン系の湿気硬化型ホットメルト接着剤、ポリウレタン系の湿気硬化及び紫外線硬化型ホットメルト接着剤、又は、ポリウレタン系の紫外線硬化及び熱硬化型ホットメルト接着剤である。
【００３５】
図１１は、実施形態１に係る表示装置の製造方法を工程順に示す模式図である。図１２は、接着剤が塗布された後の表示パネルの背面を示す斜視図と、その一部を拡大して示す図である。図１３は、実施形態１において、接着剤が塗布された後の周縁領域を示す平面図である。図１４は、図１３をＸ３１−Ｘ３２線で切断した断面を示す図である。なお、図１４では、表示パネル１の前面が下側に向けられ、表示パネル１の背面が上側に向けられている。図１１に示すように、実施形態１に係る表示装置１００の製造方法は、接着剤４の塗布工程（ステップＳ１）と、表示パネル１とバックライト装置３の貼り合せ工程（ステップＳ２）と、接着剤４の硬化工程（ステップＳ３）と、を含む。
【００３６】
ステップＳ１では、製造装置は、表示パネル１の背面の周縁領域１１１（例えば、図８参照）に接着剤４を塗布する。例えば、製造装置は、加熱されて溶融している接着剤４を吐出するためのノズル９を有する。ノズル９の先端は、周縁領域１１１の幅Ｗ１、Ｗ２（例えば、図９、図１０参照）よりも十分に小さい。製造装置は、ノズル９の先端を周縁領域１１１に向かい合わせ、ノズル９の先端から接着剤４を吐出させながら、ステップＳ１の矢印で示すように、表示パネル１の外周のうち、光源ユニット３２が設けられない側の辺に沿ってノズル９を移動させる。図１２では、ノズル９を表示パネル１の外周の３辺に沿って移動させる。表示パネル１の外周の３辺とは、表示パネル１の左右両側と上側の各辺である。これにより、図１２から図１４に示すように、製造装置は、第１基板１１の周縁領域１１１に接着剤４を塗布する。
【００３７】
ステップＳ２では、製造装置は、接着剤４が塗布された表示パネル１の背面１ｂと、バックライト装置３のプリズムシート３５を有する側の面とを向かい合わせて、表示パネル１の背面１ｂにバックライト装置３を貼り合せる。ステップＳ３では、製造装置は、接着剤４を硬化させる。例えば、接着剤４としてポリウレタン系の湿気硬化型ホットメルト接着剤が用いられる場合は、製造装置は、ステップＳ２で貼り合せた表示パネル１とバックライト装置３とを、湿気を含む環境下に所定時間放置して、接着剤４を硬化させる。この場合、湿気を含む環境は、予め設定された範囲内で制御されている。これにより、表示パネル１の背面１ｂはバックライト装置３の収容体３７に接着される。以上の工程を経て、表示装置１００が完成する。
【００３８】
以上説明したように、実施形態１に係る表示装置１００によれば、接着剤４は、表示パネル１と壁部３７２との間に配置されている。例えば、表示パネル１は、第１基板１１の背面が第１偏光板１２から露出している周縁領域１１１を含む。表示装置１００の左側縁部１００ｌｅ及び右側縁部１００ｒｅでは、接着剤４は周縁領域１１１と壁部３７２との間に配置されている。
【００３９】
これによれば、表示パネル１とバックライト装置３との接着領域は、平面視で、表示パネル１の周縁領域１１１と重なる。表示パネル１とバックライト装置３とを接着するために、表示パネル１の側面に接着部材を配置する必要がなく、表示パネル１の側面とカバーパネル７の側面との間の距離を短くすることができる。これにより、表示装置１００の額縁領域である遮光部７２を狭くすることができる。これにより、表示装置１００の狭額縁化が可能である。
【００４０】
また、第１偏光板１２の側面は遮光性の接着剤４で覆われている。これによれば、第１偏光板１２の側面を遮光することができるので、バックライト装置３から出射した光が表示パネル１の側面から漏れてしまう光漏れを防ぐことができる。
【００４１】
また、バックライト装置３は、壁部３７２と一体化した樹脂部３９を有する。表示装置１００の上側縁部１００ｕｅでは、接着剤４は表示パネル１の周縁領域１１１と樹脂部３９との間に配置されている。これによれば、接着剤４の接着面積を広く確保することができるので、表示パネル１とバックライト装置３との接着強度を高めることができる。
【００４２】
また、バックライト装置３は、額縁領域１０ｂと平面視で重なる位置に配置された両面接着テープ３８を有する。両面接着テープ３８の第１接着面３８ａはプリズムシート３５及び樹脂部３９にそれぞれ接着している。両面接着テープ３８の第２接着面３８ｂは、表示パネル１に接着している。これによれば、表示パネル１とバックライト装置３は、両面接着テープ３８により接着されるので、表示パネル１とバックライト装置３との接着強度を高めることができる。また、両面接着テープ３８は遮光性である。これにより、表示パネル１の額縁領域１０ｂをバックライト装置３から遮光することができるので、光漏れをさらに防ぐことができる。
【００４３】
上記の実施形態１では、第１基板１１が本発明の「基板」に対応し、第１偏光板が本発明の「偏光板」に対応している。また、拡散シート３４およびプリズムシート３５が本発明の「光学シート」に対応している。
【００４４】
（実施形態１の変形例）
なお、上記の実施形態１では、樹脂部３９が、壁部３７２よりも収容体３７の内側に配置されていることについて説明した。また、上記の実施形態１では、接着剤４は、平面視で表示領域１０ａの外周の辺のうち、光源ユニット３２が設けられる側の辺には配置されていないことについて説明した。しかしながら、本発明の実施形態において、樹脂部３９の配置や接着剤４の配置は上記に限定されるものではない。
【００４５】
（実施形態１の変形例１）
図１５は、実施形態１の変形例１に係る表示装置を示す断面図である。図１６は、実施形態１の変形例１に係る表示装置の背面側を示す斜視図である。図１６は、表示装置１００の右側縁部１００ｒｅと上側縁部１００ｕｅとを示している。図１７は、実施形態１の変形例１に係るバックライト装置において、壁部と一体化した樹脂部と、樹脂部と重なる接着剤とを拡大して示す模式図である。図１５及び図１７に示すように、実施形態１の変形例１において、樹脂部３９は、収容体３７の底部３７１上から壁部３７２上にかけて形成されている。樹脂部３９は壁部３７２と一体化している。また、接着剤４は、樹脂部３９と第１基板１１との間に配置されている。接着剤４は、樹脂部３９と接着している。この場合でも、表示パネル１とバックライト装置３との接着領域は、平面視で、表示パネル１の周縁領域１１１と重なる。これにより、実施形態１の変形例１も、平面視で、表示パネル１の側面とカバーパネル７の側面との間の距離を短くすることができるので、表示装置１００の狭額縁化が可能である。
【００４６】
また、図１５に示すように、変形例１においても、両面接着テープ３８は、例えば、樹脂部３９の外側面３９ａよりも収容体３７の内側に位置する。両面接着テープ３８下から樹脂部３９の一部が露出しており、その露出している部分に接着剤４が接している。これにより、接着剤４と両面接着テープ３８との接着強度が小さい場合でも、接着剤４は樹脂部３９と接しているので、接着剤４は、表示パネル１とバックライト装置３とを接着することができる。
【００４７】
また、図１５から図１７に示すように、樹脂部３９は壁部３７２の一部を構成しており、例えば、樹脂部３９の外側面３９ａは壁部３７２の外側面３７２ａと面一となっている。これによれば、板金での加工が難しい複雑な凹凸形状や、丸みを帯びた角部等もインサート成形法等で形成することができる。これにより、変形例１は、意匠性に優れた収容体３７を実現することができる。
【００４８】
また、上記の実施形態１では、表示装置１００の上側縁部１００ｕｅ及び下側縁部１００ｂｅに樹脂部３９が配置され、表示装置１００の右側縁部１００ｒｅ及び左側縁部１００ｌｅには樹脂部３９が配置されていないことについて説明した。しかしながら、本発明の実施形態において、樹脂部３９は右側縁部１００ｒｅに配置されていてもよいし、左側縁部１００ｌｅに配置されていてもよいし、右側縁部１００ｒｅ及び左側縁部１００ｌｅの両方に配置されていてもよい。
【００４９】
（実施形態１の変形例２）
図１８は、実施形態１の変形例２に係る表示装置を示す断面図である。図１８は、表示装置１００の右側縁部１００ｒｅを示している。図１８に示すにように、実施形態１の変形例２では、表示装置１００の右側縁部１００ｒｅに樹脂部３９が配置されている。図１８では示さないが、表示装置１００の左側縁部１００ｌｅにも樹脂部３９が配置されている。また、樹脂部３９は、例えば、収容体３７の底部３７１上から壁部３７２上にかけて配置されており、樹脂部３９の外側面３９ａは壁部３７２の外側面３７２ａと面一となっている。
【００５０】
この場合でも、右側縁部１００ｒｅ及び左側縁部１００ｌｅにおいて、表示パネル１とバックライト装置３との接着領域は、平面視で、表示パネル１の周縁領域１１１と重なる。これにより、実施形態１の変形例２も、平面視で、表示パネル１の側面とカバーパネル７の側面との間の距離を短くすることができるので、表示装置１００の額縁領域である遮光部７２を狭くすることができる。これにより、表示装置１００の狭額縁化が可能である。また、上記の実施形態１では、接着剤４は、表示パネル１の下側縁部１００ｂｅに配置されていてもよい。
【００５１】
（実施形態１の変形例３）
図１９は、実施形態１の変形例３に係る表示装置の構成例を示す平面図である。図２０は、実施形態１の変形例３に係る表示装置の構成例を示す分解斜視図である。図２１は、実施形態１の変形例３に係る表示装置の部分断面図である。図２１は、図１９に示す表示装置１００の下側縁部１００ｂｅをＹ３１−Ｙ３２線で切断した断面を示している。図２２は、実施形態１の変形例３に係る表示パネルの背面と、その一部を拡大して示す斜視図である。図１９から図２２に示すように、実施形態１の変形例３では、接着剤４は、表示装置１００の外周のうち、光源ユニット３２が設けられる側の辺にも配置されている。図１９から図２２では、接着剤４を表示装置１００の上側縁部１００ｕｅ、右側縁部１００ｒｅ及び左側縁部１００ｌｅだけでなく、下側縁部１００ｂｅにも配置されている。下側縁部１００ｂｅにおいても、接着剤４は、第１基板１１と樹脂部３９との間に配置されており、表示パネル１とバックライト装置３とを接着している。
【００５２】
実施形態１の変形例３において、接着剤４の塗布工程では、表示装置１００の上側縁部１００ｕｅ、右側縁部１００ｒｅ及び左側縁部１００ｌｅに加えて、下側縁部１００ｂｅにおいても、表示パネル１の周縁領域１１１（例えば、図９参照）に溶融した接着剤４を塗布する。例えば、製造装置は、ノズル９（図１１参照）の先端から接着剤４を吐出させながら、表示パネル１の外周の４辺に沿ってノズルを移動させる。表示パネル１の外周の４辺とは、左右両側と上下両側の各辺である。これにより、製造装置は、第１基板１１の周縁領域１１１に接着剤４を塗布する。その後、製造装置は、図１１に示したステップＳ２と、ステップＳ３を順次行う。これにより、製造装置は、表示パネル１の外周の４辺に接着剤４を隙間なく形成することができる。
【００５３】
実施形態１の変形例３によれば、接着剤４は平面視で表示領域１０ａの外周のすべての辺に沿って配置されており、接着剤４は表示パネル１の表示領域１０ａを平面視で囲んでいる。表示装置１００の上側縁部１００ｕｅ、右側縁部１００ｒｅ、左側縁部１００ｌｅ及び下側縁部１００ｂｅにおいて、表示パネル１とバックライト装置３との間は接着剤４で塞がれる。これにより、表示パネル１とバックライト装置３との間から表示装置１００の内部に水分や塵埃が侵入することを防ぐことができるので、表示装置１００の防塵、防水効果を高めることができる。
【００５４】
また、表示装置１００の下側縁部１００ｂｅにおいて、樹脂部３９は、収容体３７の底部３７１上から壁部３７２上にかけて配置されていてもよい。また、下側縁部１００ｂｅにおいて、樹脂部３９は壁部３７２の一部を構成していてもよく、樹脂部３９の外側面３９ａは壁部３７２の外側面３７２ａと面一となっていてもよい。
【００５５】
図２３は、実施形態１の変形例３に係る表示装置の前面側を示す斜視図である。図２３は、表示装置１００の右側縁部１００ｒｅと下側縁部１００ｂｅとを示している。図２４は、実施形態１の変形例３に係るバックライト装置において、壁部と一体化した樹脂部と、樹脂部と重なる接着剤とを拡大して示す模式図である。図２３及び図２４に示すように、表示装置１００の下側縁部１００ｂｅにおいて、樹脂部３９は、収容体３７の底部３７１上から壁部３７２上にかけて配置されており、樹脂部３９の外側面３９ａは、壁部３７２の外側面３７２ａと面一となっている。そして、下側縁部１００ｂｅにおいて、樹脂部３９と第１基板１１との間に接着剤４が配置されている。
【００５６】
（実施形態２）
図２５は、本発明の実施形態２に係る表示装置の構成例を示す断面図である。図２５は、実施形態２に係る表示装置２００の右側縁部を示している。図２５に示すように、表示装置２００では、収容体３７の壁部３７２と表示パネル１の第１偏光板１２とが向かい合っている。そして、接着剤４は、第１偏光板１２と壁部３７２との間に配置されている。図示しないが、表示装置２００の左側縁部及び上側縁部においても、接着剤４は、第１偏光板１２と壁部３７２との間に配置されている。これによれば、表示パネル１とバックライト装置３との接着領域は、平面視で、表示パネル１の額縁領域１０ｂと重なる。これにより、表示パネル１とバックライト装置３とを接着するために、表示パネル１の側面に接着部材を配置する必要がなく、表示パネル１の側面とカバーパネル７の側面との間の距離を短くすることができるので、表示装置２００の狭額縁化が可能である。
【００５７】
なお、実施形態２においても、実施形態１の変形例１から変形例３が適用可能である。例えば、実施形態２においても、図２６に示すような変形例が可能である。図２６は、本発明の実施形態２の変形例に係る表示装置の構成例を示す断面図である。図２６に示すにように、実施形態２の変形例では、表示装置２００の右側縁部に樹脂部３９が配置されている。図２６では示さないが、表示装置２００の左側縁部にも樹脂部３９が配置されている。また、樹脂部３９は、例えば、収容体３７の底部３７１上から壁部３７２上にかけて配置されており、樹脂部３９の外側面３９ａは壁部３７２の外側面３７２ａと面一となっている。この場合でも、右側縁部及び左側縁部において、表示パネル１とバックライト装置３との接着領域は、平面視で、表示パネル１の額縁領域１０ｂと重なる。これにより、表示装置２００の狭額縁化が可能である。
【００５８】
（実施形態３）
図２７は、本発明の実施形態３に係る表示装置の構成例を示す断面図である。図２７は、実施形態３に係る表示装置３００の右側縁部を示している。図２７に示すように、表示装置３００では、表示パネル１の第２偏光板１４が、第１基板１１、第１偏光板１２及び第２偏光板１４導光板３１よりも、表示パネル１の外周側へ突き出ている。そして、第２偏光板１４の外周側へ突き出た部分と、収容体３７の壁部３７２とが、表示装置３００の厚さ方向で向かい合っている。接着剤４は、第２偏光板１４と壁部３７２との間に配置されており、第２偏光板１４と壁部３７２とにそれぞれ接触している。また、図示しないが、表示装置３００の左側縁部及び上側縁部においても、接着剤４は、第２偏光板１４と壁部３７２との間に配置されており、第２偏光板１４と壁部３７２とにそれぞれ接触している。これによれば、表示パネル１とバックライト装置３との接着領域は、平面視で、第２偏光板１４と重なる。第２偏光板１４の側面に接着部材が配置される必要はない。また、接着剤４が配置される壁部３７２の厚さＴは例えば０．１ｍｍ程度と小さいため、表示装置３００の狭額縁化が可能である。
【００５９】
（実施形態４）
図２８は、本発明の実施形態４に係る表示装置の構成例を示す断面図である。図２８は、実施形態４に係る表示装置４００の右側縁部を示している。図２８に示すように、表示装置４００では、接着剤４は、カバーパネル７と壁部３７２との間に配置されており、カバーパネル７と壁部３７２とにそれぞれ接触している。また、図示しないが、表示装置４００の左側縁部及び上側縁部においても、接着剤４は、カバーパネル７と壁部３７２との間に配置されており、カバーパネル７と壁部３７２とにそれぞれ接触している。これによれば、表示パネル１とバックライト装置３との接着領域は、平面視で、表示装置４００の遮光部７２と重なる。接着剤４が配置される壁部３７２の厚さＴは例えば０．１ｍｍ程度と小さいため、表示装置３００の狭額縁化が可能である。
【００６０】
以上、本発明の好適な実施形態とその変形例を説明したが、本発明はこのような実施形態及び変形例に限定されるものではない。実施形態及び変形例で開示された内容はあくまで一例にすぎず、本発明の趣旨を逸脱しない範囲で種々の変更が可能である。例えば、実施形態１の表示装置１００では、カラー表示可能な透過型液晶表示装置を示したが、本発明はカラー表示対応の透過型液晶表示装置に限定されず、モノクロ表示対応の透過型液晶表示装置であってもよい。本発明の趣旨を逸脱しない範囲で行われた適宜の変更についても、当然に本発明の技術的範囲に属する。
例えば、本態様の表示装置は、以下の態様をとることができる。
（１）表示パネルと、
前記表示パネルの背面側に配置されるバックライト装置と、
前記表示パネルと前記バックライト装置とを接着する接着剤と、
前記バックライト装置の背面側を覆う収容体と、を備え、
前記収容体は、
底部と、
前記底部の周縁から前記表示パネル側に向かって起立した壁部と、を含み、
前記接着剤は、前記表示パネルと前記壁部との間に配置されている、表示装置。
（２）前記表示パネルは、
基板と、
前記基板の背面側に配置されて前記バックライト装置と向かい合う偏光板と、を有し、
前記基板の背面は前記偏光板から露出している周縁領域を含み、
前記接着剤は、前記周縁領域と前記壁部との間に配置されている、上記（１）に記載の表示装置。
（３）前記表示パネルは、
基板と、
前記基板の背面側に配置されて前記バックライト装置と向かい合う偏光板と、を有し、
前記接着剤は、前記偏光板と前記壁部との間に配置されている、上記（１）に記載の表示装置。
（４）前記接着剤は遮光性であり、
前記偏光板の側面は前記接着剤で覆われている、上記（２）又は上記（３）に記載の表示装置。
（５）前記表示パネルは、
画像を表示する表示領域と、
前記表示領域の外周側に位置する額縁領域と、を有し、
前記接着剤は平面視で前記表示領域を囲んでいる、上記（１）乃至上記（４）のいずれか１項に記載の表示装置。
（６）前記バックライト装置は、光源素子を有し、
前記表示パネルは、
画像を表示する表示領域と、
前記表示領域の外周側に位置する額縁領域と、を有し、
前記光源素子は、平面視で前記表示領域の外周の一辺に沿って配置されており、
前記接着剤は、平面視で前記表示領域の外周の辺のうち、前記一辺には配置されていない、上記（１）乃至上記（４）のいずれか１項に記載の表示装置。
（７）前記バックライト装置は、光源素子を有し、
前記表示パネルは、
画像を表示する表示領域と、
前記表示領域の外周側に位置する額縁領域と、を有し、
前記光源素子は、平面視で前記表示領域の外周の一辺に沿って配置されており、
前記接着剤は、平面視で前記表示領域の外周のすべての辺に沿って配置されている、上記（１）乃至上記（４）のいずれか１項に記載の表示装置。
（８）前記バックライト装置は、
前記壁部と一体化した樹脂部をさらに有し、
前記接着剤は前記樹脂部に接着している、上記（１）乃至上記（７）のいずれか１項に記載の表示装置。
（９）前記バックライト装置は、
前記収容体に収容された導光板と、
前記収容体に収容され、前記導光板と前記表示パネルとの間に配置された光学シートと、
前記表示パネルと平面視で重なる位置に配置された両面接着テープと、をさらに有し、
前記両面接着テープは、第１接着面と、前記第１接着面の反対側に位置する第２接着面とを有し、
前記第１接着面は前記光学シート及び前記樹脂部に接着し、
前記第２接着面は前記表示パネルに接着している、上記（８）に記載の表示装置。
（１０）前記両面接着テープは遮光性である、上記（９）に記載の表示装置。
また、本態様の表示装置は、以下の態様をとることもできる。
（１１）前記表示パネルは、
第１基板と、
前記第１基板と向かい合って配置された第２基板と、
前記第１基板と前記第２基板との間に配置された液晶層と、
前記第１基板を挟んで前記液晶層の反対側に配置され、前記バックライト装置と向かい合う第１偏光板と、
前記第２基板を挟んで前記液晶層の反対側に配置された第２偏光板と、を有し、
前記接着剤は、前記第２偏光板と前記壁部との間に配置されている、上記（１）に記載の表示装置。
（１２）表示パネルと、
前記表示パネルの前面側に配置される透光性のカバー部と、
前記表示パネルの背面側に配置されるバックライト装置と、
前記表示パネルと前記バックライト装置とを接着する接着剤と、を備え、
前記バックライト装置は、
導光板と、
前記導光板を収容する収容体と、を有し、
前記収容体は、
底部と、
前記底部の周縁から前記表示パネル側に向かって起立した壁部と、を含み、
前記接着剤は、前記カバーパネルと前記壁部との間に配置されている、表示装置。
【符号の説明】
【００６１】
１  表示パネル
１ａ  前面
１ｂ  背面
３  バックライト装置
４  接着剤
５  接着層
７  カバーパネル
９  ノズル
１０ａ  表示領域
１０ｂ  額縁領域
１１  第１基板
１２  第１偏光板
１３  第２基板
１４  第２偏光板
１６  液晶層
３１  導光板
３２  光源ユニット
３４  拡散シート
３５  プリズムシート
３６  反射シート
３７  収容体
３８  両面接着テープ
３８ａ  第１接着面
３８ｂ  第２接着面
７１  透光部
７２  遮光部
７３  遮光部材
１１１  周縁領域
３７１  底部
３７２  壁部
１００、２００、３００、４００  表示装置
【図１】
2018072515.tif 000003
【図２】
2018072515.tif 000004
【図３】
2018072515.tif 000005
【図４】
2018072515.tif 000006
【図５】
2018072515.tif 000007
【図６】
2018072515.tif 000008
【図７】
2018072515.tif 000009
【図８】
2018072515.tif 000010
【図９】
2018072515.tif 000011
【図１０】
2018072515.tif 000012
【図１１】
2018072515.tif 000013
【図１２】
2018072515.tif 000014
【図１３】
2018072515.tif 000015
【図１４】
2018072515.tif 000016
【図１５】
2018072515.tif 000017
【図１６】
2018072515.tif 000018
【図１７】
2018072515.tif 000019
【図１８】
2018072515.tif 000020
【図１９】
2018072515.tif 000021
【図２０】
2018072515.tif 000022
【図２１】
2018072515.tif 000023
【図２２】
2018072515.tif 000024
【図２３】
2018072515.tif 000025
【図２４】
2018072515.tif 000026
【図２５】
2018072515.tif 000027
【図２６】
2018072515.tif 000028
【図２７】
2018072515.tif 000029
【図２８】
2018072515.tif 000030